(57)【要約】  【課題】積み重ね良好でコンパクトにまとめることができる紙トレイを提供する。  【解決手段】紙トレイは，矩形の底面部11と，底面部11の対向する二辺に第１の折り線を介してそれぞれ連設された一対の外向き回動壁面部12と，底面部11の残りの二辺に第２の折り線を介してそれぞれ連設された一対の内向き回動壁面部13と，上記一対の外向き回動壁面部の両側端縁に第３の折り線を介してそれぞれ連設され，かつ上記一対の内向き回動壁面部の両側端縁に第４の折り線を介してそれぞれ連設された４つの内側折込み片14ａ，14ｂと，を備えている。内側折込み片のそれぞれに，底面部の頂部から内側折込み片の外縁に至る折込み線Ｌ５が形成されており，折込み線Ｌ５が第４の折り線の向きに傾いている。折込み線Ｌ５によって分けられる内側折込み片の２つの領域のうち，第４の折り線に近い領域14ｂの内面が内向き回動壁面部13の内面に貼り合わされている。【選択図】図３
2017222374.tif 000002
【特許請求の範囲】
【請求項１】
矩形の底面部（11）と，
上記底面部（11）の対向する二辺に第１の折り線（Ｌ１）を介してそれぞれ連設された一対の外向き回動壁面部（12）と，
上記底面部（11）の残りの二辺に第２の折り線（Ｌ２）を介してそれぞれ連設された一対の内向き回動壁面部（13）と，
上記一対の外向き回動壁面部（12）の両側端縁に第３の折り線（Ｌ３）を介してそれぞれ連設され，かつ上記一対の内向き回動壁面部（13）の両側端縁に第４の折り線（Ｌ４）を介してそれぞれ連設された４つの内側折込み片（14）と，を備え，
上記内側折込み片（14）のそれぞれに，上記底面部（11）の頂部から上記内側折込み片（14）の外縁に至る折込み線（Ｌ５）が形成されており，上記折込み線（Ｌ５）が上記第４の折り線（Ｌ４）の向きに傾いており， 
上記折込み線（Ｌ５）によって分けられる上記内側折込み片（14）の２つの領域（14ａ，14ｂ）のうち，上記内向き回動壁面部（13）に連設された領域（14ｂ）の内面が上記内向き回動壁面部（13）の内面に貼り合わされている，
紙トレイ。
【請求項２】
矩形の底面部（11）と，
上記底面部（11）の対向する二辺に第１の折り線（Ｌ１）を介してそれぞれ連設された一対の外向き回動壁面部（12）と，
上記底面部（11）の残りの二辺に第２の折り線（Ｌ２）を介してそれぞれ連設された一対の内向き回動壁面部（13）と，
上記一対の外向き回動壁面部（12）の両側端縁に第３の折り線（Ｌ３）を介してそれぞれ連設され，かつ上記一対の内向き回動壁面部（13）の両側端縁に第４の折り線（Ｌ４）を介してそれぞれ連設され，上記底面部（11）の頂部から外縁に至る折込み線（Ｌ５）が形成された４つの内側折込み片（14）と，を備え，
上記外向き回動壁面部（12）の両側端縁の上記第３の折り線（Ｌ３）が上記底面部（11）の頂部から互いに近づく向きに傾斜して外縁に至っており，
上記折込み線（Ｌ５）によって分けられる上記内側折込み片（14）の２つの領域（14ａ，14ｂ）のうち，上記内向き回動壁面部（13）に連設された領域（14ｂ）の内面が上記内向き回動壁面部（13）の内面に貼り合わされている，
紙トレイ。
【請求項３】
矩形の底面部（11）と，
上記底面部（11）の対向する二辺に第１の折り線（Ｌ１）を介してそれぞれ連設された一対の外向き回動壁面部（12）と，
上記底面部（11）の残りの二辺に第２の折り線（Ｌ２）を介してそれぞれ連設された一対の内向き回動壁面部（13）と，
上記一対の外向き回動壁面部（12）の両側端縁に第３の折り線（Ｌ３）を介してそれぞれ連設され，かつ上記一対の内向き回動壁面部（13）の両側端縁に第４の折り線（Ｌ４）を介してそれぞれ連設された４つの内側折込み片（14）と，を備え，
上記内側折込み片（14）のそれぞれに，上記底面部（11）の頂部から上記内側折込み片（14）の外縁に至る折込み線（Ｌ５）が形成されており，上記折込み線（Ｌ５）が上記第４の折り線（Ｌ４）の向きに傾いており，
上記外向き回動壁面部（12）の両側端縁の上記第３の折り線（Ｌ３）が，上記底面部（11）の頂部から互いに近づく向きに傾斜して外縁に至っており，
上記折込み線（Ｌ５）によって分けられる上記内側折込み片（14）の２つの領域（14ａ，14ｂ）のうち，上記内向き回動壁面部（13）に連設された領域（14ｂ）の内面が上記内向き回動壁面部（13）の内面に貼り合わされている，
紙トレイ。
【請求項４】
一枚の紙シートから構成され，上記紙シートの一方の面に耐油性層または耐水性層が積層されている，
請求項１から３のいずれか一項に記載の紙トレイ。
【発明の詳細な説明】
【技術分野】
【０００１】
この発明は紙トレイに関し，特に食品用の紙トレイに関する。
【背景技術】
【０００２】
ドーナツ，チョコレート，パイ等の食品，その他の物品を収納する紙製トレイ容器は，１枚のブランク紙を組立てることで収納空間を作るものが多い。ブランク紙からの組立てが複雑であるとトレイを使用するときに手間がかかってしまう。あらかじめブランク紙からトレイを組立てておくと，積み重ねができない，または積み重ねたときに非常に嵩張ってしまうことがある。
【０００３】
特許文献１は半組立て状態と組立て状態とを備える包装用箱を記載する。対向する一対の側板の両側縁に連設された折込板が，他方の対向する側板と側板上端縁に連設されて内側に折り返される折返板の間の折込空間に挿入される。折込板は先端がわの一次折込片と，基端側の二次折込片とから構成され，半組立て状態では上記折込空間に一次折込片までが挿入され，このとき側板は外がわに拡開するように傾斜する。組立て状態では二次折込片までが折込空間に挿入されて側板は直立状態になる。半組立て状態の包装用箱は側板が外がわに拡開しているので複数の包装用箱を積み重ねることができる。折込板を二次折込片まで折込空間に挿入することによって半組立て状態から組立て状態になるので，組立ては簡単である。
【０００４】
しかしながら，特許文献１の包装用箱は半組立て状態のときにも収納空間（底板と側板とで囲まれる空間）が存在し，コンパクトさに欠ける。また，折込板を挿入する折込空間を形成するために側板上端縁に連設された折返板が内側に折り返されているので，包装用箱を構成するブランク紙の両面（表面と裏面）が包装用箱の内側に面する。ドーナツ等の油分を含む食品の収納に包装用箱を用いる場合には，ブランク紙の両面にあらかじめ耐油性を持たせておかなければならない。
【先行技術文献】
【特許文献】
【０００５】
【特許文献１】実開昭６３−７４４１９号公報
【発明の開示】
【０００６】
この発明は，積み重ねられたときに嵩張ることなく，複数の紙トレイをコンパクトにまとめることができるようにすることを目的とする。
【０００７】
この発明はまた，紙トレイを構成するシート（ブランク紙）の一面のみが内側を向く，そのような紙トレイの提供を目的とする。
【０００８】
この発明はさらに，開口が大きく開き，食品等の収納作業に適する紙トレイの提供を目的とする。
【０００９】
第１の発明による紙トレイは，矩形の底面部と，上記底面部の対向する二辺に第１の折り線を介してそれぞれ連設された一対の外向き回動壁面部と，上記底面部の残りの二辺に第２の折り線を介してそれぞれ連設された一対の内向き回動壁面部と，上記一対の外向き回動壁面部の両側端縁に第３の折り線を介してそれぞれ連設され，かつ上記一対の内向き回動壁面部の両側端縁に第４の折り線を介してそれぞれ連設された４つの内側折込み片と，を備え，上記内側折込み片のそれぞれに，上記底面部の頂部から上記内側折込み片の外縁に至る折込み線が形成されており，上記折込み線が上記第４の折り線の向きに傾いており，上記折込み線によって分けられる上記内側折込み片の２つの領域のうち，上記内向き回動壁面部に連設された領域の内面が，上記内向き回動壁面部の内面に貼り合わされていることを特徴とする。
【００１０】
底面部の対向する二辺に連設された一対の外向き回動壁面部を，第１の折り線に沿って折り返して底面部に重ね合わせた状態にしておくことができる。このとき，一対の外向き回動壁面部は底面部に重ね合わされ，一対の内向き回動壁面部は底面部と面一の姿勢となる。４つの内側折込み片は底面部ないし内向き回動壁面部に重ね合わされる。全体として平坦な形態となるので，この形態で多数の紙トレイを重ね合わせても嵩張ることは全くない。積み重ねに非常に適しており，多数の紙トレイをコンパクトにまとめることができる。
【００１１】
内側折込み片は組み立てられたときに紙トレイの内側に折り込まれるもので，折込みのための折込み線が形成されている。折込み線によって分けられる内側折込み片の２つの領域のうち，上記内向き回動壁面部に連設された領域の内面が上記内向き回動壁面部の内面に貼り合わされており，他方の領域（上記外向き回動壁面部に連設された領域）は貼り合わせが行われていない。内側折込み片には，外向き回動壁面部と内向き回動壁面部の両方に連設されているので，底面部に重ね合わされている外向き回動壁面部を外向きに回動させて起立させると，内向き回動壁面部が内側折込み片を介して内向きに引っ張られ，内向き回動壁面部に内向きの回動が生じて起立する。同時に，内側折込み片の折込み線に沿う内側への折込みも行われる。内側折込み片の内面と内向き回動壁面部の内面の貼り合わせは，接着剤を用いた接着によって実現してもよいし，紙の係合，超音波，留め具（テープ，ステープラ等）等を用いて実現してもよい。
【００１２】
第１の発明によると，内側折込み片に形成された上記底面部の頂部から上記内側折込み片の外縁に至る折込み線が上記第４の折り線の向きに傾いている。これにより，外向き回動壁面部を外向きに回動させて起立させたときにこれに伴って起立する内向き回動壁面部の起立角度を小さくすることができる。開口の広い紙トレイが提供される。
【００１３】
また第１の発明の紙トレイは，外側から内側に折り返されるシート部分を持たないから，紙トレイを構成するシートの一面（裏面）のみがトレイの内側を向く。シートの他方の面（表面）はトレイの内側を向かず，したがってトレイに収納される食品等に接することはない。このため，ドーナツ，チョコレートなどの油分を含む食品を収納するために紙トレイを用いる場合，トレイの内側を向く一面（裏面）のみに耐油性層を設ければよい。また，水分を含む食品を収納するために紙トレイを用いる場合であれば，トレイの内側を向く一面（裏面）のみに耐水性層を設ければよい。
【００１４】
第２の発明による紙トレイは，矩形の底面部と，上記底面部の対向する二辺に第１の折り線を介してそれぞれ連設された一対の外向き回動壁面部と，上記底面部の残りの二辺に第２の折り線を介してそれぞれ連設された一対の内向き回動壁面部と，上記一対の外向き回動壁面部の両側端縁に第３の折り線を介してそれぞれ連設され，かつ上記一対の内向き回動壁面部の両側端縁に第４の折り線を介してそれぞれ連設され，上記底面部の頂部から外縁に至る折込み線が形成された４つの内側折込み片と，を備え，上記外向き回動壁面部の両側端縁の上記第３の折り線が上記底面部の頂部から互いに近づく向きに傾斜して外縁に至っており，上記折込み線によって分けられる上記内側折込み片の２つの領域のうち，上記内向き回動壁面部に連設された領域の内面が上記内向き回動壁面部の内面に貼り合わされていることを特徴とする。
【００１５】
第２の発明においても，底面部の対向する二辺に連設された一対の外向き回動壁面部を，第１の折り線に沿って折り返して底面部に重ね合わせた状態にしておくことができ，このとき紙トレイは全体として平坦な形態となる。この形態で多数の紙トレイを重ね合わせても嵩張ることは全くない。積み重ねに非常に適しており，多数の紙トレイをコンパクトにまとめることができる。
【００１６】
また，第２の発明の紙トレイも，折込み線によって分けられる内側折込み片の２つの領域のうち，上記内向き回動壁面部に連設された領域の内面が上記内向き回動壁面部の内面に貼り合わされており，他方の領域は貼り合わせが行われていない。外向き回動壁面部を外向きに回動させて起立させると，内向き回動壁面部が内側折込み片を介して内向きに引っ張られ，内向き回動壁面部に内向きの回動が生じて起立する。
【００１７】
さらに第２の発明の紙トレイも，外側から内側に折り返されるシート部分を持たないから，紙トレイを構成するシートの一面（裏面）のみがトレイの内側を向く。ドーナツ，チョコレートなどの油分を含む食品，水分を含む食品を収納する場合には，トレイの内側を向くことになるシートの一面（裏面）のみに耐油性層または耐水性層を設ければよい。
【００１８】
第２の発明によると，外向き回動壁面部の両側端縁の第３の折り線（外向き回動壁面部と内側折込み片との境界）が上記底面部の頂部から互いに近づく向きに傾斜して外縁に至っている。これにより，外向き回動側面部を外向きに回動させて起立させたときにこれに伴って起立する内向き回動壁面部の起立角度を小さくすることができる。開口の広いトレイが提供される。
【００１９】
第３の発明による紙トレイは，矩形の底面部と，上記底面部の対向する二辺に第１の折り線を介してそれぞれ連設された一対の外向き回動壁面部と，上記底面部の残りの二辺に第２の折り線を介してそれぞれ連設された一対の内向き回動壁面部と，上記一対の外向き回動壁面部の両側端縁に第３の折り線を介してそれぞれ連設され，かつ上記一対の内向き回動壁面部の両側端縁に第４の折り線を介してそれぞれ連設された４つの内側折込み片と，を備え，上記内側折込み片のそれぞれに，上記底面部の頂部から上記内側折込み片の外縁に至る折込み線が形成されており，上記折込み線が上記第４の折り線の向きに傾いており，上記外向き回動壁面部の両側端縁の上記第３の折り線が，上記底面部の頂部から互いに近づく向きに傾斜して外縁に至っており，上記折込み線によって分けられる上記内側折込み片の２つの領域のうち，上記内向き回動壁面部に連設された領域の内面が上記内向き回動壁面部の内面に貼り合わされていることを特徴とする。
【００２０】
第３の発明の紙トレイは，第１の発明の紙トレイおよび第２の発明の紙トレイの両方の特徴を具備するものである。内側折込み片に形成された上記底面部の頂部から上記内側折込み片の外縁に至る折込み線が上記第４の折り線の向きに傾いており，さらに外向き回動壁面部の両側端縁の上記第３の折り線が上記底面部の頂部から互いに近づく向きに傾斜して外縁に至っていることで，外向き回動壁面部を回動させて起立させたときにこれに伴って起立する内向き回動壁面部の起立角度をより小さくすることができ，開口の広いトレイが提供される。
【００２１】
第３発明においても，底面部の対向する二辺に連設された一対の外向き回動壁面部を，第１の折り線に沿って折り返して底面部に重ね合わせた状態にしておくことができ，このとき紙トレイは全体として平坦な形態となる。この形態で多数の紙トレイを重ね合わせても嵩張ることは全くない。積み重ねに非常に適しており，多数の紙トレイをコンパクトにまとめることができる。また，第３の発明の紙トレイも，外側から内側に折り返されるシート部分を持たないから，紙トレイを構成するシートの一面（裏面）のみがトレイの内側を向く。ドーナツ，チョコレートなどの油分を含む食品，水分を含む食品を収納する場合には，トレイの内側を向くことになるシートの一面（裏面）のみに耐油性層または耐水性層を設ければよい。
【図面の簡単な説明】
【００２２】
【図１】紙トレイの展開図である。
【図２】流通時（保管時）の紙トレイの平面図である。
【図３】組み立てられた紙トレイの斜視図である。
【図４】組み立てられた紙トレイの平面図である。
【図５】変形例の紙トレイの展開図である。
【図６】他の変形例の紙トレイの展開図である。
【実施例】
【００２３】
図１は紙トレイ（紙容器）の展開図を示すもので，紙トレイの内側（内面）となる面を示している。この実施例による紙トレイは，図１に示す展開図の形状の一枚の紙製シートを折曲げる（一部接着する）ことによって組立てられる。図１に示す展開図において，紙トレイを作成するときに折曲げられる箇所（折り線）が鎖線で示されている。一点鎖線は谷折りされる箇所を示しており，二点鎖線は山折りされる箇所を示している。一点鎖線および二点鎖線で示されている箇所には，必要に応じて折り目または浅い切込みが入れられる。
【００２４】
この実施例による紙トレイは，ドーナツ，チョコレートなどの油分を含む食品，水分を含む食品を収納するのに適するもので，紙トレイを構成する紙製シートの裏面（紙トレイとされたときに食品に触れる内側となる面）に耐油性層または耐水性層が積層されている。もっとも裏面と反対側のシートの表面にも耐油性層または耐水性層を積層することもできるが，この実施例による紙トレイは，後述するように，シートの表面（紙トレイとされたときに外側となる面）が，組み立てられたときに紙トレイの内側を向かず，したがってシートの表面に食品が触れることがないので，シート表面には耐油性層または耐水性層を積層する必要は必ずしもない。
【００２５】
方形の底面部11の一の対向する二辺（図１において左右）に外向き回動壁面部12が折り線Ｌ１を介してそれぞれ連設されている。底面部11の他の対向する二辺（図１において上下）に内向き回動壁面部13が折り線Ｌ２を介してそれぞれ連設されている。
【００２６】
外向き回動壁面部12の両側端縁（図１において上下側）に折り線Ｌ３を介してそれぞれ連設され，かつ内向き回動壁面部13の両側端縁（図１において左右側）にも折り線Ｌ４を介してそれぞれ連設された，合計４つの内側折込み片14が形成されている。内側折込み片14は概略的には矩形であり，角部は丸みを帯びて形成されている。
【００２７】
底面部11は，左右の外向き回動壁面部12，前後の内向き回動壁面部13および４つの内側折込み片14によってその全周が囲まれており，折り線Ｌ１〜Ｌ４はいずれも底面部11の４箇所の頂部で交わっている。
【００２８】
４つの内側折込み片14のそれぞれに，底面部11の頂部と内側折込み片14の外縁を直線状に結ぶ折込み線Ｌ５が形成されている。折込み線Ｌ５は，折り線Ｌ４の向きに，内側折込み片14の対角線Ｋ１から所定角度θ１だけ傾いて形成されている。折込み線Ｌ５に沿って内側折込み片14が山折りされることで，内側折込み片14は，組み立てられた紙トレイの内側に折り込まれる。折込み線Ｌ５の傾きの程度は適宜設計することができ，たとえば約４°〜１０°の対角線Ｋ１からの角度θ１を持つ。
【００２９】
内側折込み片14は，折込み線Ｌ５によって概略三角形の２つの領域14ａ，14ｂに区分けされる。２つの領域14ａ，14ｂの内面のうち，内向き回動壁面部13に連設された領域14ｂの内面に接着剤Ｎが設けられている（接着範囲を，図１，図２においてハッチングで示す）。他方，外向き回動壁面部12に連続する領域14ａに接着剤は設けられない。以下，領域14ａを非接着領域14ａと呼び，領域14ｂを接着領域14ｂと呼ぶ。接着領域14ｂは内向き回動壁面部13の内面の両側部に接着される。
【００３０】
外向き回動壁面部12の両側端（外向き回動壁面部12とその上下に連設する内側折込み片14の境界の折り線Ｌ３）は，折り線Ｌ２と一直線上に形成されておらず，底面部11の頂部から外縁に向けて互いに近づく向きにわずかに傾いて形成されている。このため，外向き回動壁面部12は台形の形状を有している。折り線Ｌ３の傾きの程度も適宜設計することができ，たとえば折り線Ｌ２に沿って一直線にのびる仮想線Ｋ２から約４°〜１０°の角度θ２の傾きを持つ。なお，前後の内向き回動壁面部13の両側端（折り線Ｌ４）は傾いておらず，折り線Ｌ１と一直線上に形成されており，内向き回動壁面部13の形状は方形である。また，外向き回動壁面部12および内向き回動壁面部13の外縁（組み立てられたときの上縁）には波形のカッティングといった装飾を施してもよい。
【００３１】
図２は，流通過程ないし保管時における紙トレイの形態を示している。流通過程ないし保管時において，紙トレイは完全に組み立てられた状態ではなく，積み重ね性を考慮して左右の外向き回動壁面部12を内向きに折り返すだけにとどめられる。左右の外向き回動壁面部12を折り線Ｌ１に沿って内向きに折り返すと，左右の外向き回動壁面部12の上下に連設された内側折込み片14も折り線Ｌ４に沿って内向きに折り返されて，内側折込み片14の接着領域14ｂの内面が内向き回動壁面部13の内面の両側部に接着される。このとき，一対の外向き回動壁面部12は底面部11に重ね合わされ，一対の内向き回動壁面部13は底面部11と面一の姿勢となる。４つの内側折込み片14は底面部11ないし内向き回動壁面部13に重ね合わされる。平坦な形態となるので，この形態の紙トレイを重ね合わせても嵩張ることはなく，多数の紙トレイをコンパクトにまとめることができる。狭いスペースに多くの紙トレイを収納することができ，輸送効率または保管効率が良好である。
【００３２】
図３は組立てが完成した状態の紙トレイの斜視図を，図４は組立てが完成した状態の紙トレイの平面図を，それぞれ示している。
【００３３】
紙トレイの組立ては，典型的には店舗等において紙トレイ内に食品を収納するときに行われる。図２に示す流通（保管）のときの平坦な形態の紙トレイの左右の外向き回動壁面部12の上縁に指を掛け，折り線Ｌ１を軸にして外向き回動壁面部12を外向きに回動する。外向き回動壁面部12の上下には内側折込み片14が連設されており，内側折込み片14はその接着領域14ｂの内面が内向き回動壁面部13の内面に接着されているので，左右の外向き回動壁面部12を外向きに回動させて立ち上げると，折込み線Ｌ５において内側折込み片14が折られて非接着領域４ａと接着領域４ｂとが近づいていくとともに，前後の内向き回動壁面部13が折り線Ｌ２を軸にして内向きに回動して次第に立ち上がる。
【００３４】
左右の外向き回動壁面部12と前後の内向き回動壁面部13とが立ち上がることで，底面部11と，底面部11の四辺を囲む回動壁面部12，13とによって囲まれる収納空間が形成される。形成された収納空間には食品，たとえばドーナツが収納される。
【００３５】
内側折込み片14の非接着領域14ａと接着領域14ｂとが接着されていないので，非接着領域14ａと接着領域14ｂの間には間隔があく。前後の内向き回動壁面部13は上方に向かって広がるような角度を持って底面部11から立ち上がることになる。
【００３６】
左右の外向き回動壁面部12は，上述した流通ないし保管時に内向きに折り返されているので（図２参照），紙の持つ反発力によって内向きに戻ろうとする力が働く。この内向きに戻ろうとする力は，紙トレイ内に収納される内容物によって支えられる。図４を参照して，底面部11の縦ないし横の寸法よりもやや大きい直径のドーナツＤを紙トレイ内に収納すると，収納されたドーナツＤによって左右の外向き回動壁面部12を内側から支えることができる。外向き回動壁面部12についても上方に向かって広がるような角度を持って底面部11から立ち上がる状態とすることができる。
【００３７】
図３を参照して，内側折込み片14に形成された折込み線Ｌ５が折り線Ｌ４の向き（内向き回動壁面部13の向き）に傾いて形成されているので，内側折込み片14を対角線Ｋ１に沿って折る場合に比べると，外向き回動壁面部12および内向き回動壁面部13を，上方に向かってより広がるような角度で底面部11から立ち上げることができる。さらに，外向き回動壁面部12の両側端の折り線Ｌ３が外縁に向かって互いに近づく向きに傾いて形成されているので，折り線Ｌ３を傾かせない（仮想線Ｋ２に沿って折る）場合と比べて，外向き回動壁面部12および内向き回動壁面部13を，上方に向かってより広がるような角度で立ち上げることができる。開口が大きくなるので，トレイ内にドーナツ等を収納するときの作業がやりやすくなる。
【００３８】
紙トレイの内側はシートの裏面のみから構成されており，シートの表面は紙トレイの内側に一切面していない。紙トレイ内に収納されるドーナツ等の食品はシートの裏面のみに接触することになり，シートの表面に一切接触しない。このため，裏面のみに耐油性層または耐水性層を積層したシートを用いることができる。
【００３９】
上述した実施例では，内側折込み片14に形成される折込み線Ｌ５を傾けて形成し，かつ外向き回動壁面部12の両側端（折り線Ｌ３）を傾けて形成しているが，折込み線Ｌ５の傾き，または折り線Ｌ３の傾きのいずれか一方のみを備えるものであってもよい。
【００４０】
図５に示す変形例の紙トレイは，内側折込み片14に形成されている折込み線Ｌ５が，上述と同様に折り線Ｌ４の向き（内向き回動壁面部13の向き）傾いているが，外向き回動壁面部12の両側端（折り線Ｌ６）に傾きはなく，折り線Ｌ２と一直線上に形成されている。
【００４１】
図６に示すさらに他の変形例のトレイは，内側折込み片14に形成されている折込み線Ｌ７が内側折込み片14の対角線上に形成されており，他方，外向き回動壁面部12の両側端の折り線Ｌ３は上述した実施例と同様に互いに近づく向きに傾いて形成されている。
【００４２】
図５および図６の展開図から組み立てられる紙トレイについても，組み立てたときに開口を広げることができる。積み重ねに非常に適しており，またシートの一面（裏面）のみを紙トレイの内側に向けることができるのは，上述の実施例と同じである。
【符号の説明】
【００４３】
11  底面部
12  外向き回動壁面部
13  内向き回動壁面部
14  内側折込み片
14ａ  非接着領域
14ｂ  接着領域
Ｌ１，Ｌ２，Ｌ３，Ｌ４，Ｌ６，Ｌ７  折り線
Ｌ５  折込み線
【図１】
2017222374.tif 000003
【図２】
2017222374.tif 000004
【図３】
2017222374.tif 000005
【図４】
2017222374.tif 000006
【図５】
2017222374.tif 000007
【図６】
2017222374.tif 000008